(57)【特許請求の範囲】
【請求項１】
所定の周波数で一のセルと通信し、特定の時間区間において前記所定の周波数とは異なる周波数に受信周波数を切り替えて前記一のセルとは異なる他のセルのセルサーチを行うセルサーチ装置であって、
前記特定の時間区間において、前記他のセルの特定に用いる特定信号の候補となる第１の同期信号を含む受信信号を受信する受信部と、
前記第１の同期信号の受信タイミングを検出する第１検出部と、
前記特定の時間区間内における前記第１の同期信号の受信タイミングに基づいて、前記受信信号に含まれる前記他のセルの特定に用いる特定信号の受信タイミングを決定する同期信号選択部と、
決定される前記受信タイミングに基づいて取得した前記他のセルの特定に用いる特定信号を用いて前記他のセルの特定を行う第２検出部と
を備え、
前記同期信号選択部は、前記特定の時間区間を複数の区間に分割する複数の閾値を設定し、前記複数の閾値と、検出された前記第１の同期信号の受信タイミングとを比較することで、前記受信信号に含まれる前記他のセルの特定に用いる特定信号の受信タイミングを決定することを特徴とするセルサーチ装置。
【請求項２】
前記受信部は、前記他のセルの特定に用いる特定信号の候補となる第２の同期信号を更に含む前記信号を受信し、
前記同期信号選択部は、検出された前記第１の同期信号の受信タイミング及び前記特定の時間区間の相対的な関係に基づいて、前記他のセルの特定に用いる特定信号の受信タイミングを、前記特定の時間区間において受信する受信信号のうち、(i)検出された前記第１の同期信号の受信タイミング及び検出された前記第１の同期信号の受信タイミングを修正することで得られる修正後タイミングのいずれか一方と、(ii)検出された前記第１の同期信号と対になって送信される前記第２の同期信号の受信タイミング及び検出された前記第１の同期信号と対になって送信される前記第２同期信号の受信タイミングを修正することで得られる修正後タイミングのいずれか一方との組み合わせとして決定することを特徴とする請求項１に記載のセルサーチ装置。
【請求項３】
前記同期信号選択部は、検出された前記第１の同期信号の受信タイミングが、前記特定の時間区間のうちの前記周波数の切り替えを開始してから完了するまでの間の過渡期間に含まれる場合、前記他のセルの特定に用いる特定信号の受信タイミングを、(i)検出された前記第１の同期信号の受信タイミングを修正することで得られる修正後タイミングと、(ii)検出された前記第１の同期信号と対になって送信される前記第２の同期信号の受信タイミング及び検出された前記第１の同期信号と対になって送信される前記第２同期信号の受信タイミングを修正することで得られる修正後タイミングのいずれか一方との組み合わせとなるように決定し、
前記同期信号選択部は、検出された前記第１の同期信号の受信タイミングが、前記過渡期間に含まれない場合、前記他のセルの特定に用いる特定信号の受信タイミングを、(i)検出された前記第１の同期信号の受信タイミングと、(ii)検出された前記第１の同期信号と対になって送信される前記第２の同期信号の受信タイミング及び検出された前記第１の同期信号と対になって送信される前記第２同期信号の受信タイミングを修正することで得られる修正後タイミングのいずれか一方との組み合わせとなるように決定することを特徴とする請求項２に記載のセルサーチ装置。
【請求項４】
前記同期信号選択部は、検出された前記第１の同期信号と対になって送信される前記第２の同期信号の受信タイミングが、前記特定の時間区間のうちの前記周波数の切り替えを開始してから完了するまでの間の過渡期間に含まれる場合、前記他のセルの特定に用いる特定信号の受信タイミングを、(i)検出された前記第１の同期信号の受信タイミング及び検出された前記第１の同期信号の受信タイミングを修正することで得られる修正後タイミングのいずれか一方と、(ii)検出された前記第１の同期信号と対になって送信される前記第２同期信号の受信タイミングを修正することで得られる修正後タイミングとの組み合わせとなるように決定し、
前記同期信号選択部は、検出された前記第１の同期信号と対になって送信される前記第２の同期信号の受信タイミングが、前記過渡期間に含まれない場合、前記他のセルの特定に用いる特定信号の受信タイミングを、(i)検出された前記第１の同期信号の受信タイミング及び検出された前記第１の同期信号の受信タイミングを修正することで得られる修正後タイミングのいずれか一方と、(ii)前記第１検出部により検出される前記第１の同期信号と対になって送信される前記第２の同期信号の受信タイミング及び前記第１検出部により検出される前記第１の同期信号と対になって送信される前記第２同期信号の受信タイミングを修正することで得られる修正後タイミングのいずれか一方との組み合わせとなるように決定することを特徴とする請求項２又は３に記載のセルサーチ装置。
【請求項５】
検出された前記第１の同期信号の受信タイミングを修正することで得られる修正後タイミングは、検出された前記第１の同期信号の受信タイミングを、当該第１の同期信号の送信周期に応じた期間だけ進ませる又は遅らせることで得られるタイミングであり、
検出された前記第１の同期信号と対になって送信される前記第２の同期信号の受信タイミングを修正することで得られる修正後タイミングは、検出された前記第１の同期信号と対になって送信される前記第２の同期信号の受信タイミングを、当該第２の同期信号の送信周期に応じた期間だけ進ませる又は遅らせることで得られるタイミングであることを特徴とする請求項２から４のいずれか一項に記載のセルサーチ装置。
【請求項６】
前記同期信号選択部は、前記特定の時間区間のうちの前記周波数の切り替えを開始してから完了するまでの間の過渡期間と当該過渡期間以外の他の期間とを区別することができるように、前記特定の時間区間を前記複数の区間に分割する前記複数の閾値を設定することを特徴とする請求項１に記載のセルサーチ装置。
【請求項７】
前記受信部は、相異なる複数のフレームフォーマットで送信される前記受信信号を受信し、
前記同期信号選択部は、前記フレームフォーマットに応じて、前記複数の閾値を設定することを特徴とする請求項１又は６に記載のセルサーチ装置。
【請求項８】
前記信号の時系列的なチャネル変動を推定するチャネル変動推定部を更に備え、
前記同期信号選択部は、推定される前記チャネル変動に応じて、前記複数の閾値を設定することを特徴とする請求項１、６又は７に記載のセルサーチ装置。
【請求項９】
所定の周波数で一のセルと通信し、特定の時間区間において前記所定の周波数とは異なる周波数に受信周波数を切り替えて前記一のセルとは異なる他のセルのセルサーチを行うセルサーチ方法であって、
前記特定の時間区間において、前記他のセルの特定に用いる特定信号の候補となる第１の同期信号を含む受信信号を受信する受信工程と、
前記第１の同期信号の受信タイミングを検出する第１検出工程と、
前記特定の時間区間内における前記第１の同期信号の受信タイミングに基づいて、前記受信信号に含まれる前記他のセルの特定に用いる特定信号の受信タイミングを決定する同期信号選択工程と、
決定される前記受信タイミングに基づいて取得した前記他のセルの特定に用いる特定信号を用いて前記他のセルの特定を行う第２検出工程と
を備え、
前記同期信号選択工程は、前記特定の時間区間を複数の区間に分割する複数の閾値を設定し、前記複数の閾値と、検出された前記第１の同期信号の受信タイミングとを比較することで、前記受信信号に含まれる前記他のセルの特定に用いる特定信号の受信タイミングを決定することを特徴とするセルサーチ方法。
【請求項１０】
所定の周波数で一のセルと通信し、特定の時間区間において前記所定の周波数とは異なる周波数に受信周波数を切り替えて前記一のセルとは異なる他のセルのセルサーチを行うセルサーチ装置を備える移動局であって、
前記セルサーチ装置は、
前記特定の時間区間において、前記他のセルの特定に用いる特定信号の候補となる第１の同期信号を含む受信信号を受信する受信部と、
前記第１の同期信号の受信タイミングを検出する第１検出部と、
前記特定の時間区間内における前記第１の同期信号の受信タイミングに基づいて、前記受信信号に含まれる前記他のセルの特定に用いる特定信号の受信タイミングを決定する同期信号選択部と、
決定される前記受信タイミングに基づいて取得した前記他のセルの特定に用いる特定信号を用いて前記他のセルの特定を行う第２検出部と
を備え、
前記同期信号選択部は、前記特定の時間区間を複数の区間に分割する複数の閾値を設定し、前記複数の閾値と、検出された前記第１の同期信号の受信タイミングとを比較することで、前記受信信号に含まれる前記他のセルの特定に用いる特定信号の受信タイミングを決定することを特徴とする移動局。
【発明の詳細な説明】
【技術分野】
【０００１】
本発明は、無線通信を行う移動局等において、通信先の基地局等のセルサーチを行うセルサーチ装置の技術分野に関する。
【背景技術】
【０００２】
セルサーチ装置に係る技術として、移動局が通信中の基地局の周波数帯域とは異なる帯域の基地局についてセルサーチや受信電力の測定などを行なう場合に、通信中の基地局によって設定されるＭｅａｓｕｒｅｍｅｎｔ  Ｇａｐと呼ばれる所定の時間区間を用いた異周波セルサーチが知られている。
【０００３】
Ｍｅａｓｕｒｅｍｅｎｔ  Ｇａｐとは、通信中の基地局によって設定され、基地局から移動局へのデータ送信が停止する、いわゆる無送信区間とされる区間である。Ｍｅａｓｕｒｅｍｅｎｔ  Ｇａｐにおいて、移動局は、受信周波数帯域（以下、単に受信帯域と記載する）を通信中の基地局の通信周波数帯域（以下、単に通信帯域と記載する）から、セルサーチを行う他の基地局の通信帯域に変更して、セルサーチを行い、該他の基地局から送信されるＳＣＨ（Synchronization Channel：同期チャネル）のデータを検出する。
【０００４】
ＳＣＨは、下り方向の共通チャネルであって、Ｐ−ＳＣＨ（Primary Synchronization Channel）とＳ−ＳＣＨ（Secondary Synchronization Channel）とを含む。例えば、後述する先行技術文献では、ＬＴＥ（Long Term Evolution）等の通信システムにおけるＰ−ＳＣＨ及びＳ−ＳＣＨについて説明されている。
【０００５】
例えば、ＬＴＥシステムのＦｒａｍｅ  ｓｔｒｕｃｔｕｒｅ  ｔｙｐｅ  ２においては、Ｐ−ＳＣＨにおける同期信号ＰＳＳ(Primary Synchronization Signal)は、全セル共通の系列を含む。この系列のデータは、移動局において、セルサーチ時のタイミング同期に用いられる。また、Ｓ−ＳＣＨにおける同期信号ＳＳＳ(Secondary Synchronization Signal)は、セル番号やスクランブリングコード情報等の各セル固有の送信パラメータを含む。移動局は、基地局との通信を開始するに当たって、ＰＳＳを受信することによりタイミングの同期を行い、該同期タイミングに基づいてＳＳＳを受信することによりセル毎に異なる送信パラメータを取得する。具体的には、ＰＳＳとＳＳＳは、システム毎のフレーム構造や送信フォーマットに応じた所定のシンボル数離隔した共通の周期において送信されるため、移動局はＰＳＳを受信することで、ＳＳＳを受信するための同期が可能となる。これにより移動局は、基地局との通信を開始することが出来る。
【０００６】
下記に示す先行技術文献には、ＰＳＳから取得した受信タイミングを用いてＳＳＳの複数候補に対する相関演算を行ってセル固有の番号を検出する方法や、ＰＳＳから取得したチャネル推定値を用いてＳ−ＳＣＨのチャネル補償を行なう方法について説明されている。
【０００７】
このようなチャネル推定やチャネル補償では、移動局は、正確にＳ−ＳＣＨのチャネル状態を推定することで、セルサーチ性能を向上させることが出来る。このため、フェージング等の影響により、時間に応じてチャネル状態が変化する場合、周期的に送信されるＰＳＳのうち、検出処理の対象としたＳＳＳにより近いものを用いてチャネル推定を行う事が望ましいとされる。
【先行技術文献】
【特許文献】
【０００８】
【特許文献１】特開２００９−８９１８５
【非特許文献】
【０００９】
【非特許文献１】３ＧＰＰ  ＴＳ３６．２１１  ｖ８．９．０
【非特許文献２】３ＧＰＰ  ＴＳ３６．１３３  ｖ８．１０．０
【発明の概要】
【発明が解決しようとする課題】
【００１０】
上述した異周波セルサーチを行うために、移動局は、Ｍｅａｓｕｒｅｍｅｎｔ  Ｇａｐにおいて、受信帯域を通信中の基地局の通信帯域からセルサーチを行う基地局の通信帯域に切り替えてＳＣＨデータを検出し、その後再び、受信帯域を通信中の基地局の通信帯域に切り替える必要がある。このとき、Ｍｅａｓｕｒｅｍｅｎｔ  Ｇａｐの先頭及び末尾等、受信帯域を変更する期間においては、移動局が帯域切替の過渡状態となり、信号の受信レベルが劣化する可能性がある。
【００１１】
基地局において設定されるＭｅａｓｕｒｅｍｅｎｔ  Ｇａｐと、異周波セルサーチのためのＳＣＨデータの送信タイミングとの関係によっては、このようなＭｅａｓｕｒｅｍｅｎｔ  Ｇａｐの先頭や末尾近傍の期間に移動局がＳＣＨデータを受信する可能性がある。このとき、帯域切替の過渡状態の影響で移動局でのセルサーチ性能が劣化するという技術的な問題が考えられる。
【００１２】
この様な帯域切替時間や切替後の帯域の安定度は、移動局におけるＲＦ性能に依存する場合が多く、高い性能を実現するためには、高価な部品を利用することによるコスト増加や、複雑な処理を利用することによる消費電力の増加等のデメリットが生じることがある。
【００１３】
本発明は、上述した技術的な問題点に鑑み、比較的簡単な処理で異周波セルサーチを可能とするセルサーチ装置及び方法並びに移動局を提供することを課題とする。
【課題を解決するための手段】
【００１４】
上記課題を解決するために、開示のセルサーチ装置は、所定の周波数で一のセルと通信し、特定の時間区間において所定の周波数とは異なる周波数に受信周波数を切り替えて一のセルとは異なる他のセルのセルサーチを行う移動局におけるセルサーチ装置である。セルサーチ装置は、受信部と、第１検出部と、同期信号選択部と、第２検出部とを備える。
【００１５】
受信部は、特定の時間区間において、他のセルの特定に用いる信号の候補となる第１の同期信号を含む信号を受信する。第１検出部は、第１の同期信号の受信タイミングを検出する。同期信号選択部は、特定の時間区間内における第１の同期信号の受信タイミングに基づいて、信号に含まれる他のセルの特定に用いる信号の受信タイミングを決定する。第２検出部は、決定される受信タイミングに基づいて取得した他のセルの特定に用いる信号を用いて他のセルの特定を行う。
【発明の効果】
【００１６】
上述の構成によれば、異周波セルサーチを行う移動局において、特定の時間区間の先頭及び末尾において受信周波数を切り替える際の過渡状態によるセルサーチ性能の劣化を回避し、適切なセルサーチが可能となる。
【図面の簡単な説明】
【００１７】
【図１】セルサーチ装置を有する移動局と、基地局とを含む無線通信ネットワークを示す図である。
【図２】セルサーチ装置の構成例を示すブロック図である。
【図３】ＰＳＳ検出部の構成を示すブロック図である。
【図４】ＳＳＳ検出部の構成を示すブロック図である。
【図５】Ｍｅａｓｕｒｅｍｅｎｔ Ｇａｐを用いた異周波セルサーチの態様を示す図である。
【図６】Ｍｅａｓｕｒｅｍｅｎｔ Ｇａｐにおける受信信号内の同期信号を示す図である。
【図７】同期信号の選択の様子を示す図である。
【図８】同期信号の選択の様子を示す図である。
【図９】同期信号の選択の様子を示す図である。
【図１０】同期信号の選択の様子を示す図である。
【図１１】セルサーチ装置の変形例を示すブロック図である。
【図１２】チャネル変動推定部の構成を示すブロック図である。
【発明を実施するための形態】
【００１８】
以下に、発明を実施するための実施形態について説明する。
【００１９】
（１）構成例
図を参照して、開示のセルサーチ装置の構成例について説明する。図１は、開示のセルサーチ装置の構成例であるセルサーチ装置１を有する移動局１００と、基地局２００ａ、２００ｂとを含む無線通信ネットワークを示す図である。
【００２０】
図１に示されるように、セルサーチ装置１は、基地局２００ａ又は２００ｂとの間で無線通信が可能な移動局１００の内部に備えられる。移動局１００と基地局２００ａ、２００ｂとは、例えば３ＧＰＰ  −  ＬＴＥ（Third Generation Partnership Project - Long Term Evolution）等の通信システムを用いて、互いに無線通信が可能である。図１に示される例では、基地局２００ａ、２００ｂの夫々が配下のサービスエリアに電波を送信することでセルを形成し、移動局１００が基地局２００ａのセル内に在圏して基地局２００ａと通信している。基地局２００ａ、２００ｂは、不図示のゲートウェイ等の上位装置を介してコアネットワークに接続される。
【００２１】
ここでは、移動局１００が通信中の基地局２００ａとは異なる通信帯域を有する基地局２００ｂに対してハンドオーバを行う場合等、基地局２００ｂに対してＭｅａｓｕｒｅｍｅｎｔ  Ｇａｐ区間（以降、ＧＡＰ区間と記載する）を用いた異周波セルサーチを行う場合の処理について説明する。
【００２２】
セルサーチ装置１は、ＧＡＰ区間において、基地局２００ｂから送信される２種類の同期信号ＰＳＳ及びＳＳＳを参照して、基地局２００ｂを特定するセルＩＤ等の情報の検出を行う。例えば、３ＧＰＰ  −  ＬＴＥ等の無線通信システムでは、ＰＳＳとして用いられる同期信号には３種類の候補があるが、以下に示す例では説明を単純化するためにＰＳＳの候補は１種類としている。ＳＳＳは、基地局のセルＩＤに対応してＮｓｓｓ個の候補がある。またＳＳＳとＰＳＳのシンボル末尾の位置は、ΔＴ（ｍ）だけ離れているとする。ここで番号ｍは、フレームフォーマットとして複数のフォーマットが定義されている場合を想定し、それらを区別するための番号である。
【００２３】
セルサーチ装置１の具体的な構成例及び機能について、図２を参照して説明する。図２は、セルサーチ装置１が備えるハードウェア及び該ハードウェアが有する機能を便宜的に表す機能部を示したブロック図である。
【００２４】
セルサーチ装置１は、図２に示されるように、ＲＦ１０、周波数設定部２０、ＧＡＰ制御部３０、受信信号バッファ４０、ＰＳＳ検出部５０、同期信号選択部６０及びＳＳＳ検出部７０の各機能部を備える。各機能部は、独自のハードウェア構成により機能を実現するものであってもよく、また、ＣＰＵ（Central Processing Unit）やＤＳＰ(Digital Signal Processor)等の処理によって機能を実現するものであってもよい。例えば、図２に示される例では、ＧＡＰ制御部３０及び同期信号選択部６０は、ＣＰＵの処理により実現される機能として示される。尚、該ＣＰＵ等やその他の機能部に対応するハードウェアは、セルサーチ装置１が独自に備えるものであってもよく、移動局１００が有するハードウェアを共用するものであってもよい。
【００２５】
ＲＦ１０は、周波数設定部２０により設定される受信帯域に基づいて、基地局２００ａ又は２００ｂから送信される信号を受信する高周波回路である。ＲＦ１００は、受信した受信信号を受信信号バッファ４０に出力する。
【００２６】
周波数設定部２０は、ＧＡＰ制御部３０により指示されるＧＡＰ区間に応じて、ＲＦ１０が受信信号の受信に用いる受信帯域を、通信中の基地局２００ａとの通信における受信帯域ｆ１と、基地局２００ｂとの通信における受信帯域ｆ２との間で適宜切り替える。例えば、周波数設定部２０は、ＧＡＰ区間の開始時には受信帯域をｆ１からｆ２に変更し、ＧＡＰ区間の終了時には受信帯域をｆ２からｆ１に変更する。尚、後述するように受信帯域の切り替えには所定の時間がかかり、切り替え中には、受信帯域がｆ１とｆ２との間の過渡状態となる。受信帯域の切替の様子については、図５を参照して後述する。
【００２７】
ＧＡＰ制御部３０は、移動局１００が受信した基地局２００ａにより送信される信号からＧＡＰ区間情報を取得して、周波数設定部２０及び受信バッファ４０に通知する。
【００２８】
受信信号バッファ４０は、ＲＦ１０より入力される受信信号をバッファリングした上で、ＧＡＰ制御部３０より通知されるＧＡＰ区間に基づいて、ＰＳＳ検出部５０及びＳＳＳ検出部７０に出力するバッファメモリである。例えば、受信信号バッファ４０は、ＧＡＰ制御部３０より通知されるＧＡＰ区間のタイミングに応じて、ＧＡＰ区間に受信した信号のみを保持してもよい。
【００２９】
ＰＳＳ検出部５０は、ＰＳＳの時間領域波形と受信信号の時間相関に基づいてＰＳＳの受信タイミングＴＰＳＳを検出する。図３は、ＰＳＳ検出部５０の構成を示すブロック図である。上述の処理を実施するために、ＰＳＳ検出部５０は、時間相関演算部５１と、ピーク検出部５２とを備える。
【００３０】
尚、図１に示した例とは異なり、移動局１００が基地局２００ａと通信中に他の複数のセルからの受信信号を受信することで、受信信号が混在する場合には、ＰＳＳ検出部５０は、セル毎に受信タイミングＴ１を検出し、以降のセルサーチ動作を各セルについて個別実行してもよい。
【００３１】
同期信号選択部６０は、検出された受信タイミングＴ１に基づいて、セルＩＤの検出に用いる同期信号ＰＳＳ及びＳＳＳを選択する。言い換えれば、同期信号選択部６０は、同期信号ＰＳＳを用いて、ＳＳＳ検出部７０の処理のために用いる信号ＳＳＳの受信タイミングを決定する。より詳細な同期信号選択部６０の動作については後述する。
【００３２】
ＳＳＳ検出部７０は、同期信号選択部６０により選択された同期信号ＰＳＳ及びＳＳＳを用いて基地局２００ｂのセルＩＤを検出する。図４は、ＳＳＳ検出部７０の構成を示すブロック図である。上述の処理を実施するために、ＳＳＳ検出部７０は、ＦＦＴ部７１ａ、７１ｂと、チャネル推定部７２と、等価部７３と、複数の相関演算部７４と、セルＩＤ判定部７５とを備える。
【００３３】
ＦＦＴ部７１ａ及び７２ｂは、同期信号選択部６０の選択した同期信号ＰＳＳ及びＳＳＳのシンボル位置に対してＦＦＴ（Fast Fourier Transform:高速フーリエ変換）を行い、サブキャリア信号を生成する。ＦＦＴ部７１ａは、ＰＳＳタイミングにおいて受信信号に対してＦＦＴを行い、生成したサブキャリア信号をチャネル推定部７２に出力する。
【００３４】
チャネル推定部７２は、ＰＳＳのサブキャリア信号を用いて、ＰＳＳのサブキャリアｋについてチャネル推定を行なうことで、チャネル推定値ｈ（ｋ）を取得する。チャネル推定値ｈ（ｋ）は、例えば、ＰＳＳのサブキャリアｋに対する受信サブキャリア信号ｒＰＳＳ（ｋ）と、既知パターンであるＰＳＳのサブキャリアパターンレプリカＰＰＳＳ（ｋ）を用いて、以下の数式１により示される。
【００３５】
【数１】
0005595952.tif 000002
また、チャネル推定部７２は、ノイズの影響を除去するためにサブキャリアｋの周辺のサブキャリアで上記式（１）により特定されるチャネル推定値ｈ（ｋ）を重み付け平均化した上でチャネルの推定を行ってもよい。このような場合、チャネルの推定値ｈ（ｋ）は、重み係数をａ（ｌ）とすると、以下の数式２により示される。
【００３６】
【数２】
0005595952.tif 000003
ＦＦＴ部７１ｂは、ＳＳＳのシンボル位置において、受信信号に対してＦＦＴを行い、生成したサブキャリア信号を等価部７３に出力する。尚、１つのＰＳＳに対して複数のＳＳＳのシンボル位置候補が存在する場合、つまり、受信信号を規定するフレームフォーマットが複数通り（例えば、ｍ通り）あって、ＰＳＳとＳＳＳとの夫々のシンボル末尾の間隔ΔＴ（ｍ）がフレームフォーマットｍに応じて複数通り（ｍ通り）存在する場合には、ＦＦＴ部７１ｂは、夫々のＳＳＳのシンボル位置に対してＦＦＴを行う。
【００３７】
等価部７３は、チャネル推定部７２から出力されたチャネル推定値ｈ（ｋ）を用いて重み係数ｗ（ｋ）を生成する。等価部７３は、ＳＳＳシンボルに対する受信サブキャリア信号ｒＳＳＳ（ｋ）に生成した重み係数ｗ（ｋ）を乗算することで等価処理を行い等価サブキャリア信号ｙ（ｋ）を生成する。重み係数ｗ（ｋ）の乗算は、以下の数式３を用いて行われる。
【００３８】
【数３】
0005595952.tif 000004
また、重み係数ｗ（ｋ）は、例えば、以下の数式４を参照して生成される。
【００３９】
【数４】
0005595952.tif 000005
尚、重み係数ｗ（ｋ）は、以下の数式５に示されるように、受信サブキャリア信号ｒＳＳＳ（ｋ）の位相だけを補正するように生成されてもよい。
【００４０】
【数５】
0005595952.tif 000006
その他、重み係数ｗ（ｋ）は、雑音電力σ２を用いて、以下の数式６に示されるようにＭＭＳＥ(minimum mean-square-error：最小二乗誤差)係数を用いるものであってもよく、その他の方法を用いて生成されるものであってよい。
【００４１】
【数６】
0005595952.tif 000007
相関演算部７４は、等価サブキャリア信号ｙ（ｋ）について、複数のＳＳＳパターン＃ｎ（ｎ＝０，１，２，・・・，Ｎｓｓｓ−１）に対する相関を演算する。具体的には、以下の数式７に示されるように相関値の電力Ｃ（ｎ）を算出する。
【００４２】
【数７】
0005595952.tif 000008
セルＩＤ判定部７５は、算出された相関値の電力｜Ｃ（ｎ）｜が最大となるｎを検出し、該ｎに基づいてＳＳＳ番号（つまり、セルＩＤを示す情報）を検出する。尚、上述のように複数のフレームフォーマットｍに対応してΔＴ（ｍ）の値が複数通り存在し、各ΔＴ（ｍ）に対応して対してブラインドでｍを判定する場合、上記の相関演算を各ｍに対して個別に行う。相関演算部７４は、このような複数のフレームフォーマットｍに対応して個別の相関演算を行えるよう、複数設けられていてよい。相関演算の結果、セルＩＤ判定部７５は、相関値の電力｜Ｃ（ｍ，ｎ）｜が最大となるｍ及びｎに基づいて、所望のフレームフォーマットｍ（ｆｏｒｍａｔ  ＃ｍ）と、ＳＳＳ番号（＃ｎ）とを検出する。
【００４３】
（２）同期信号選択処理例
図５に基地局２００ａから送信される信号のＧＡＰ区間を用いて、基地局２００ｂに対して異周波セルサーチを行う場合の各基地局からの受信信号の様子を示す。
【００４４】
また、基地局２００ｂからの受信信号については、該受信信号に含まれるＰＳＳとＳＳＳとが示される。図５では、基地局２００ｂからの受信信号の一例として、３ＧＰＰ  −  ＬＴＥシステムのＦｒａｍｅ  ｓｔｒｕｃｔｕｒｅ  ｔｙｐｅ  ２における同期信号の送信パターンが示される。Ｆｒａｍｅ  ｓｔｒｕｃｔｕｒｅ  ｔｙｐｅ  ２における同期信号の送信パターンでは、１フレームは１０ｍｓであって、ＰＳＳとＳＳＳとを含む同期信号は、５ｍｓ周期で送信されている。ＬＴＥシステムでは、フレームを１ｍｓの区間に区切ってサブフレームと呼び、各サブフレーム内には、その他のデータや共通パイロットと呼ばれるパイロット信号が配置されて送信される。また、ＳＳＳとＰＳＳとの間は３シンボル離れている。
【００４５】
尚、ＬＴＥシステム等、ＯＦＤＭ（Orthogonal Frequency-Division Multiplexing：直交周波数分割多重）方式が採用される場合、マルチパスフェージングの影響を避けるため、各シンボルに対して遅延波の遅延時間に応じたガードインターバル、又はサイクリックプレフィックス（ＣＰ）が付加される。一方で、ＣＰは、データの復調に寄与しないため、付加することでデータの伝送効率が低下することが考えられる。このため、ＣＰ長は、遅延波の遅延時間や送信信号の伝送効率等を考慮して決定されることが好ましい。
【００４６】
このようにＣＰは状況に応じて複数のＣＰ長を取り得るため、フレームフォーマットｍも夫々のＣＰ長に応じて複数定義される。このため、上述した同期信号内のＰＳＳとＳＳＳとの間隔が３シンボルであっても、ＣＰ長に応じて実際の時間間隔が変化することが考えられる。
【００４７】
図５中の点線は、移動局１００の受信帯域を切り替える様子を示している。移動局１００の受信帯域は、ＧＡＰ区間に応じて基地局２００ａの通信帯域ｆ１と基地局２００ｂ通信帯域ｆ２との間で切り替えられる。受信帯域の切替時、具体的にはＧＡＰ区間の開始後の所定期間と、終了前の所定期間では、移動局１００の受信帯域がｆ１とｆ２との間で変化する過渡状態となるため、セルサーチの性能が劣化する。
【００４８】
図６に、ＧＡＰ区間と、セルサーチの対象となる基地局２００ｂからの同期信号の受信タイミングとの関係について複数の例を示す。例えば、図６（ａ）のように、同期信号ＰＳＳ又はＳＳＳの受信タイミングがこのような過渡状態に係る期間に含まれる場合、同期信号の一部又は全部のシンボルが劣化の大きい領域に含まれる。このため、これらの同期信号を利用してセルサーチを行なう場合、検出性能が劣化する。他方で、図６（ｂ）のように同期信号の受信タイミングが過渡状態に係る期間に含まれない場合、セルサーチ装置１は、同期信号を用いて適切なセルサーチを実行出来る。
【００４９】
同期信号選択部６０は、検出されたＰＳＳの受信タイミングＴＰＳＳとＧＡＰ区間の相対的な位置関係とに基づいて、セルＩＤの判定に用いるＰＳＳとＳＳＳとを選択する。尚、正確には、ＰＳＳ及びＳＳＳは、夫々信号そのものを示す名称であって、同期信号選択部６０は、同期信号ＰＳＳ及びＳＳＳそのものではなく、夫々の信号の検出に用いる受信信号の時間区間、又は先頭タイミングを選択する。しかしながら、本実施例においては、「ＰＳＳ又はＳＳＳを選択する」との文言を、同期信号選択部６０の動作に関連して、ＰＳＳ又はＳＳＳの検出に用いる受信信号中のタイミング又はシンボル位置を選択する処理を示す趣旨として記載する。具体的には、所定の周期で送信される同期信号について、どの周期、言い換えれば、シンボル位置のＰＳＳ又はＳＳＳを用いてセルサーチを行うかを選択する処理を示す。
【００５０】
（２−１）ＰＳＳとＳＳＳとの間隔が一通りに決定される場合の同期信号選択方法
図７を参照して、同期信号選択部６０による、ＰＳＳの受信タイミングＴＰＳＳとＧＡＰ区間の相対的な位置関係とに基づく、セルＩＤの判定に用いるＰＳＳとＳＳＳとの選択方法において、ＰＳＳとＳＳＳとの間隔ΔＴが決定されている場合の動作について説明する。
【００５１】
図７は、基地局２００ａのＧＡＰ区間における基地局２００ｂからの同期信号の受信タイミングを示す図である。図７では、ＧＡＰ区間の先頭タイミングをＴ０、終了タイミングをＴ’、基地局２００ａから送信されるＰＳＳ検出タイミングをＴ１としている。図７に示す例では、同期信号がある所定のフレームフォーマットｍに基づいて送信されるため、ＰＳＳとＳＳＳとの間隔が一意のΔＴ（ｍ）に決定される。
【００５２】
同期信号選択部６０は、ＳＳＳ検出に用いるＰＳＳシンボルの先頭位置ＴＰＳＳを決定することで、フレームフォーマットｍにおけるＳＳＳシンボルの先頭位置ＴＳＳＳ（ｍ）を決定する。具体的には、ＴＳＳＳ（ｍ）＝ＴＰＳＳ−ΔＴ（ｍ）とする。また、ＰＳＳシンボルの先頭位置ＴＰＳＳは、セルサーチ装置１におけるＰＳＳ受信タイミングをＴ１とすると、ＴＰＳＳ＝Ｔ１となることが考えられる。
【００５３】
しかしながら、上述したようにＧＡＰ区間の先頭部分と末尾部分とは、受信帯域切替の過渡状態によるセルサーチ性能の劣化が生じている場合がある。このため、同期信号選択部６０は、ＰＳＳ受信タイミングＴ１に応じて、以下に示すように、ＴＰＳＳ及びＴＳＳＳを選択する。
【００５４】
先ず、同期信号選択部６０は、図７（ａ）に示されるように、ＧＡＰ区間Ｔ’−Ｔ０を所定の閾値Ａ１、Ａ２、Ａ３、Ａ４を設定して分割する。ここで、各時間は、Ｔ０＜Ａ１＜Ａ２＜Ａ３＜Ａ４＜Ｔ’となる。ＧＡＰ区間において、Ｔ０からＡ１の区間及びＡ４からＴ’の区間は、上述した過渡状態の影響によりセルサーチ性能の劣化が大きく、該当区間において検出される同期信号を用いた適切なセルサーチが行えない可能性がある。同期信号選択部６０は、ＰＳＳ受信タイミングＴ１とＡ１、Ａ２、Ａ３、Ａ４の各タイミングとを比較して、ＰＳＳ及びＳＳＳとして用いる信号の検出タイミングを選択する。
【００５５】
図７（ｂ）に示されるように、ＰＳＳ受信タイミングＴ１がＴ０からＡ１の区間である場合（Ｔ１−Ｔ０＜Ａ１）、同期信号選択部６０は、ＰＳＳシンボルの先頭位置ＴＰＳＳの候補であるＰＳＳのシンボル位置候補（具体的には、上述したように、ＰＳＳ検出タイミングＴ１に一致）及びＳＳＳシンボルの先頭位置ＴＳＳＳ（ｍ）の候補であるＳＳＳのシンボル位置候補（具体的には、上述したように、Ｔ１−ΔＴ（ｍ）に一致）が両方ともＧＡＰ区間の先頭部分に近く、過渡状態による劣化が生じる可能性があると判断する。このとき、同期信号選択部６０は、各信号について、Ｔ０からＡ１の区間外のものを用いるように、ＴＰＳＳ＝Ｔ１＋５ｍｓ、ＴＳＳＳ（ｍ）＝Ｔ１−ΔＴ（ｍ）＋５ｍｓとする。ここに、５ｍｓとは、上述したようにＦｒａｍｅ  ｓｔｒｕｃｔｕｒｅ  ｔｙｐｅ  ２における同期信号の送信周期である。つまり、同期信号選択部６０は、ＰＳＳがＴ０からＡ１の区間に検出される場合、ＰＳＳ及びＰＳＳよりもΔＴ早い時刻に配置されるＳＳＳが共に劣化の大きい領域に含まれると判断し、次の周期に送信されるＰＳＳ及びＳＳＳを用いることで、劣化の少ない同期信号を選択する。
【００５６】
図７（ｃ）に示されるように、ＰＳＳがＡ１からＡ２の区間に検出される場合（Ａ１≦Ｔ１−Ｔ０＜Ａ２）、同期信号選択部６０は、ＰＳＳについては、Ｔ１のシンボル位置において過渡状態に起因する劣化が生じないと判断して、ＴＰＳＳ＝Ｔ１とする。他方で、同期信号選択部６０は、ＰＳＳの配置位置よりも前の時刻に配置されるＳＳＳは、ＧＡＰ区間の先頭部分に近く、過渡状態により劣化が生じる領域に配置される可能性があることから、５ｍｓ後の配置の方が劣化が少ないと判断して、ＴＳＳＳ（ｍ）＝Ｔ１−ΔＴ（ｍ）＋５ｍｓとする。
【００５７】
図７（ｄ）に示されるように、ＰＳＳがＡ２からＡ３の区間に検出される場合（Ａ２≦Ｔ１−Ｔ０＜Ａ３）、同期信号選択部６０は、ＰＳＳについては、Ｔ１のシンボル位置において過渡状態に起因する劣化が生じないと判断して、ＴＰＳＳ＝Ｔ１とする。また、ＳＳＳについても、過渡状態による劣化が生じないと判断して、ＴＳＳＳ（ｍ）＝Ｔ１−ΔＴ（ｍ）とする。
【００５８】
図７（ｅ）に示されるように、ＰＳＳがＡ３からＡ４の区間に検出される場合（Ａ３≦Ｔ１−Ｔ０＜Ａ４）、同期信号選択部６０は、ＰＳＳについては、Ｔ１のシンボル位置ではＧＡＰ区間末尾に近く、過渡状態による劣化が生じる可能性があると判断して、ＰＳＳの受信タイミングを１周期前の位置、つまりＴＰＳＳ＝Ｔ１−５ｍｓとする。他方で、ＰＳＳの配置位置よりも前の時刻に配置されるＳＳＳは、過渡状態による劣化の影響がないと判断して、ＴＳＳＳ（ｍ）＝Ｔ１−ΔＴ（ｍ）とする。
【００５９】
図７（ｆ）に示されるように、ＰＳＳがＡ４からＴ’の区間に検出される場合（Ａ４≦Ｔ１−Ｔ０＜Ｔ’）、同期信号選択部６０は、ＰＳＳについては、Ｔ１のシンボル位置ではＧＡＰ区間の末尾に近く、過渡状態による劣化が生じる可能性があると判断して、ＰＳＳの受信タイミングをＴＰＳＳ＝Ｔ１−５ｍｓとする。また、ＰＳＳの配置位置よりもΔＴ前の時刻に配置されるＳＳＳについても、過渡状態による劣化の影響が生じ得ると判断して、ＴＳＳＳ（ｍ）＝Ｔ１−ΔＴ（ｍ）−５ｍｓとする。
【００６０】
尚、Ａ１、Ａ２、Ａ３、Ａ４の各閾値については、移動局１００における受信帯域切替に要する時間等を考慮して設定されるものである。特にＲＦ部品の個体差についても考慮する必要がある場合には、装置毎に個別に最適化した値が設定されることが好ましい。例えば、Ａ１、Ａ２、Ａ３、Ａ４の各閾値には、ＧＡＰ区間内で、受信帯域切替の過渡状態によるセルサーチ性能の劣化が生じている可能性がある区間とそれ以外の区間とを区別することができるように適切な値が設定されてもよい。また、図７は、４つの閾値Ａ１、Ａ２、Ａ３、Ａ４を用いてＧＡＰ区間を５つに分割する例を示している。しかしながら、任意の数の閾値を用いてＧＡＰ区間を任意の数に分割してもよい。但し、ＧＡＰ区間内で、受信帯域切替の過渡状態によるセルサーチ性能の劣化が生じている可能性がある区間とそれ以外の区間とを区別するという観点からは、少なくとも２つの閾値を用いてＧＡＰ区間を少なくとも３つに分割することが好ましい。
【００６１】
（２−２）ＰＳＳとＳＳＳとの間隔が複数通り設定される場合の同期信号選択方法
ＰＳＳとＳＳＳとの間隔ΔＴについて、複数通りのフレームフォーマット（例えば、ｍ通り）に対応して、複数のΔＴ（例えば、ｍ個）が設定される場合、同期信号選択部６０は、ΔＴ（ｍ）についても考慮した上で、ＰＳＳ及びＳＳＳの検出タイミングを選択する。
【００６２】
図８は、ＰＳＳとＳＳＳとの間隔ΔＴ（ｍ）が複数通り設定される場合において、ＰＳＳの受信タイミングＴ１と閾値との関係に基づいて同期信号の選択を行う様子を示す図である。
【００６３】
同期信号選択部６０は、図８（ａ）に示されるように、Ｔ０からＴ’のＧＡＰ区間の先頭部分及び末尾部分であって、過渡状態による劣化が生じると判断される領域を区別する閾値Ａ１ＰＳＳ、Ａ２ＰＳＳを設定する。つまり、Ｔ０からＡ１ＰＳＳの区間及びＡ２ＰＳＳからＴ’の区間は、同期信号選択部６０が過渡状態による劣化が生じると判断した領域である。
【００６４】
同期信号選択部６０は、図８（ａ）に示されるように、ＰＳＳがＴ０からＡ１ＰＳＳの区間に検出される場合（Ｔ１−Ｔ０＜Ａ１ＰＳＳ）、Ｔ１のシンボル位置がＧＡＰ区間の先頭部分に近く、過渡状態による劣化が生じる可能性があると判断して、ＴＰＳＳ＝Ｔ１＋５ｍｓとする。
【００６５】
図８（ｂ）に示されるように、ＰＳＳがＡ１ＰＳＳからＡ２ＰＳＳの区間に検出される場合（Ａ１ＰＳＳ≦Ｔ１−Ｔ０＜Ａ２ＰＳＳ）、Ｔ１のシンボル位置において過渡状態に起因する劣化が生じないと判断して、ＴＰＳＳ＝Ｔ１とする。
【００６６】
図８（ｃ）に示されるように、ＰＳＳがＡ２ＰＳＳからＴ’の区間に検出される場合（Ａ２ＰＳＳ≦Ｔ１−Ｔ０＜Ｔ’）、Ｔ１のシンボル位置がＧＡＰ区間の末尾部分に近く、過渡状態による劣化が生じる可能性があると判断して、ＴＰＳＳ＝Ｔ１−５ｍｓとする。
【００６７】
また、同期信号選択部６０は、図８（ｄ）に示されるように、ＰＳＳの受信タイミングＴ１に応じてＳＳＳのタイミングＴＳＳＳ（ｍ）を選択するための閾値Ａ１ＳＳＳ（ｍ）、Ａ２ＳＳＳ（ｍ）をフレームフォーマットｍ毎に設定する。
【００６８】
ここに、閾値Ａ１ＳＳＳ（ｍ）、Ａ２ＳＳＳ（ｍ）は、夫々Ｔ１に係る閾値であって、ＰＳＳの受信タイミングＴ１から特定されるＳＳＳの受信タイミングＴ１−ΔＴ（ｍ）について、過渡状態による劣化が生じると判断される領域を区別するための閾値である。つまり、フレームフォーマットｍの同期信号について、Ｔ０からＡ１ＳＳＳ（ｍ）の区間及びＡ２ＳＳＳ（ｍ）からＴ’の区間においてＴ１が受信される場合、特定されるＳＳＳの受信タイミングＴ１−ΔＴ（ｍ）が過渡状態による劣化が生じる領域に含まれる。尚、ＳＳＳの候補となる受信信号上のタイミングは、ＰＳＳの受信タイミングより早いため、Ａ１ＰＳＳ＜Ａ１ＳＳＳであり、且つＡ２ＰＳＳ＜Ａ２ＳＳＳ（ｍ）である。
【００６９】
同期信号選択部６０は、図８（ｄ）に示されるように、ＰＳＳがＴ０からＡ１ＳＳＳの区間に検出される場合（Ｔ１−Ｔ０＜Ａ１ＳＳＳ（ｍ））、ＳＳＳの候補となるＴ１−ΔＴ（ｍ）のシンボル位置がＧＡＰ区間の先頭部分に近く、過渡状態による劣化が生じる可能性があると判断して、ＴＳＳＳ（ｍ）＝Ｔ１−ΔＴ（ｍ）＋５ｍｓとする。
【００７０】
図８（ｅ）に示されるように、ＰＳＳがＡ１ＳＳＳ（ｍ）からＡ２ＳＳＳ（ｍ）の区間に検出される場合（Ａ１ＳＳＳ（ｍ）≦Ｔ１−Ｔ０＜Ａ２ＳＳＳ（ｍ））、Ｔ１−ΔＴ（ｍ）のシンボル位置において過渡状態に起因する劣化が生じないと判断して、ＴＳＳＳ（ｍ）＝Ｔ１−ΔＴ（ｍ）とする。
【００７１】
図８（ｆ）に示されるように、ＰＳＳがＡ２ＳＳＳからＴ’の区間に検出される場合（Ａ２ＳＳＳ（ｍ）≦Ｔ１−Ｔ０＜Ｔ’）、Ｔ１−ΔＴ（ｍ）のシンボル位置がＧＡＰ区間の末尾部分に近く、過渡状態による劣化が生じる可能性があると判断して、ＴＳＳＳ（ｍ）＝Ｔ１−ΔＴ（ｍ）−５ｍｓとする。
【００７２】
尚、同期信号選択部６０は、閾値Ａ１ＳＳＳ（ｍ）、Ａ２ＳＳＳ（ｍ）をフレームフォーマットｍ毎に設定し、実際の受信信号のフレームフォーマットｍに応じて、適用する閾値を選択する。
【００７３】
上述したＴＳＳＳの選択方法では、同期信号選択部６０は、フレームフォーマットｍ毎に閾値Ａ１ＳＳＳ（ｍ）、Ａ２ＳＳＳ（ｍ）を設定して、夫々をＰＳＳのシンボル位置候補となるＴ１と比較している。他方で、同期信号選択部６０は、ＰＳＳのシンボル位置候補の代わりに、ＳＳＳのシンボル位置候補を設定して、閾値との比較からＳＳＳのシンボル位置を選択してもよい。
【００７４】
例えば、同期信号選択部６０は、フレームフォーマットｍ毎に仮のＳＳＳのシンボル位置Ｔｔｍｐ（ｍ）を設定する。また、フレームフォーマットｍに依存しない共通の閾値Ａ１ＳＳＳ及びＡ２ＳＳＳを設定し、このＴｔｍｐ（ｍ）を、各閾値と比較することでＳＳＳのシンボル位置ＴＳＳＳを選択する。この態様では、閾値についてフレームフォーマット毎に個別に設定しなくともよくなり、より簡易にＴＳＳＳを選択可能となる。
【００７５】
具体的には、同期信号選択部６０は、フレームフォーマットｍ毎に仮のＳＳＳのシンボル位置として、Ｔｔｍｐ（ｍ）＝Ｔ１−ΔＴ（ｍ）を設定する。ΔＴ（ｍ）はフレームフォーマットｍに応じたＣＰ長等を考慮したＰＳＳとＳＳＳとの間の時間長を示すものである。同期信号選択部６０は、複数のフレームフォーマットｍに対応して適切なΔＴ（ｍ）を選択出来るよう、予めメモリ等に各種データを保持していてもよい。
【００７６】
図９（ａ）に示されるように、同期信号選択部６０は、ＳＳＳのシンボル位置候補であるＴｔｍｐ（ｍ）がＴ０からＡ１ＳＳＳの区間に検出される場合（Ｔ１−Ｔ０＜Ｔｔｍｐ（ｍ））、Ｔｔｍｐ（ｍ）のシンボル位置がＧＡＰ区間の先頭部分に近く、過渡状態による劣化が生じる可能性があると判断して、ＴＳＳＳ＝Ｔｔｍｐ（ｍ）＋５ｍｓとする。
【００７７】
図９（ｂ）に示されるように、ＳＳＳのシンボル位置候補であるＴｔｍｐ（ｍ）がＡ１ＳＳＳからＡ２ＳＳＳの区間に検出される場合（Ａ１ＳＳＳ≦Ｔ１−Ｔ０＜Ａ２ＳＳＳ）、Ｔｔｍｐ（ｍ）のシンボル位置において過渡状態に起因する劣化が生じないと判断して、ＴＳＳＳ＝Ｔｔｍｐ（ｍ）とする。
【００７８】
図９（ｃ）に示されるように、ＳＳＳのシンボル位置候補であるＴｔｍｐ（ｍ）がＡ２ＳＳＳからＴ’の区間に検出される場合（Ａ２ＳＳＳ≦Ｔ１−Ｔ０＜Ｔ’）、Ｔｔｍｐ（ｍ）のシンボル位置がＧＡＰ区間の末尾部分に近く、過渡状態による劣化が生じる可能性があると判断して、ＴＳＳＳ＝Ｔｔｍｐ（ｍ）−５ｍｓとする。
【００７９】
セルサーチ性能への影響が時間変化するフェージング等を考慮する場合、フレームフォーマットｍに対応してΔＴ（ｍ）の値が変化することで、セルサーチ性能が変化することが考えられる。このような場合には、ＳＳＳの検出処理に用いるシンボルの選択時に各フレームフォーマットｍに対して個別の閾値Ａ１ＳＳＳ（ｍ）、Ａ２ＳＳＳ（ｍ）を用いることで、各フレームフォーマットｍに対して、セルサーチ性能を好適に調整できる。他方で、実際のフレームフォーマットでは、夫々に対応するΔＴ（ｍ）の値の差は、それほど大きいものではないため、共通の閾値Ａ１ＳＳＳ、Ａ２ＳＳＳを用いる場合でも性能に大きな低下はないと言える。
【００８０】
（２−３）同期信号検出タイミングを予め限定する場合の同期信号選択方法
上述の例では、ＰＳＳ検出部５０は、ＧＡＰ区間内の任意のタイミングでＰＳＳを検出し、検出タイミングＴ１に応じてセルサーチに用いるＰＳＳ及びＳＳＳの選択を行っている例について説明した。しかしながら、例えば、上述したＴ０からＡ１ＰＳＳの区間及びＡ２ＰＳＳからＴ’の区間において検出されるＰＳＳは、過渡状態の影響を受けると判断されるため、このような区間のシンボルについてはセルサーチに用いるものとしては選択されない。
【００８１】
そこで、同期信号の好適な選択のために、予めＰＳＳ検出タイミングを限定した上で、Ｔ１の検出を行ってもよい。具体的には、図１０に示すように、この態様のセルサーチ装置１では、受信信号バッファ４０が保持する受信信号の区間、又はＰＳＳ検出部５０のピーク検出部５２のピーク検出区間が予めＡ１ＰＳＳからＡ２ＰＳＳの区間に限定される。従って、ＰＳＳの検出タイミングＴ１は、常にＡ１ＰＳＳ≦Ｔ１＜Ａ２ＰＳＳとなる。
【００８２】
上述のように、この区間においてはＴ１のシンボル位置に対する過渡状態の影響はないと判断されるため、同期信号選択部６０は、ＴＰＳＳ＝Ｔ１とする。
【００８３】
他方、同期信号選択部６０は、ＴＳＳＳを上述のようにＴｔｍｐ（ｍ）と、Ａ１ＳＳＳ及びＡ２ＳＳＳとの比較から選択する。Ｔ１の検出位置によっては、Ａ１ＰＳＳ≦Ｔ１＜Ａ２ＰＳＳが成立していても、ＳＳＳのシンボル位置候補となるＴｔｍｐ（ｍ）＝Ｔ１−ΔＴ（ｍ）が過渡状態の影響を受ける位置に配置される可能性があるからである。
【００８４】
（３）変形例
図を参照して、開示のセルサーチ装置の変形例であるセルサーチ装置１’について説明する。
【００８５】
上述した構成例では、ＰＳＳの検出タイミングＴ１とＧＡＰ区間先頭タイミングＴ０の関係に基づいてセルサーチに用いるシンボル位置を選択している。このため、例えば、ＴＰＳＳ＝Ｔ１であるのに対して、ＴＳＳＳについて、Ｔ１から最も近いＴ１−ΔＴのシンボル位置でなく、Ｔ１−ΔＴ−５ｍｓ又はＴ１−ΔＴ＋５ｍｓが選択される場合がある。このとき、従来用いられるＴ１から最も近いＴ１−ΔＴと比較して、よりＰＳＳの検出タイミングから離れたタイミングのＳＳＳを用いてチャネル等価を行うことになる。このような場合には、タイミングの差が広がることにより、フェージングの影響がより顕著に表れることになり、セルサーチ性能が劣化することが考えられる。そこで、ＧＡＰ区間の先頭部分及び末尾部分等、受信帯域切替の過渡状態による性能劣化と、このようなフェージングによる性能劣化とのトレードオフを考慮して、セルサーチに用いるシンボル位置を選択することにより、より高精度にセルサーチ性能を実現することが出来る。
【００８６】
開示のセルサーチ装置の変形例では、従来知られている技術等を用いて、時間的なチャネル変動の大きさを推定し、推定結果を考慮した上で上述したＰＳＳ及びＳＳＳの選択の態様を調整することで、より高精度なセルサーチを実現可能なシンボル位置を選択する。
【００８７】
図１１は、セルサーチ装置１’が備えるハードウェア及び該ハードウェアが有する機能を便宜的に表す機能部を示したブロック図である。図１１に示されるように、セルサーチ装置１’は、セルサーチ装置１の構成に加えて、チャネル変動推定部８０を備える。チャネル変動推定部８０は、例えば、ＧＡＰ区間以外の区間において、既に検出済みのセルの共通パイロットの入力を受け、該共通パイロットに対してチャネル推定を行なう。このとき、チャネル変動推定部８０は、サブフレーム毎にチャネル推定を行い、算出されるチャネル推定値からチャネル変動の時間的な相関を計算する。算出された時間的な相関に対して、所定の閾値を設定し、チャネル変動の大小を複数の段階に分けて判別したものをチャネル変動の推定結果として、同期信号選択部６０に出力する。同期信号選択部６０は、チャネル変動の推定結果に基づいて、上述したＰＳＳ及びＳＳＳの選択に係る閾値Ａ１、Ａ２等を選択する。
【００８８】
図１２は、チャネル変動推定部８０の構成を示すブロック図である。上述の処理を実施するために、チャネル変動推定部８０は、ＦＦＴ部８１と、パイロット抽出部８２と、チャネル推定部８３と、変動推定部８４とを備える。
【００８９】
ＦＦＴ部８１は、入力される受信信号に対してＦＦＴを行い、生成したサブキャリア信号をパイロット抽出部８２に出力する。
【００９０】
パイロット抽出部８２は、受信信号から既に検出済みのセルの各サブフレームの先頭シンボルに配置されるパイロットのサブキャリア成分を抽出する。
【００９１】
チャネル推定部８３は、セルサーチ対象の基地局２００ｂのサブフレーム＃ｎの先頭シンボルに配置されるパイロットパターンをキャンセルして、チャネル推定値を算出する。サブフレーム＃ｎにおける共通パイロットのサブキャリアｋに対するチャネル推定値ｈ（ｎ，ｋ）は、例えば、共通パイロットの受信サブキャリア信号ｒＰｉｌｏｔ（ｎ，ｋ）と、既知パターンである共通パイロットのサブキャリアパターンレプリカＰＰｉｌｏｔ（ｋ）を用いて、以下の数式８のように算出される。
【００９２】
【数８】
0005595952.tif 000009
チャネル推定値ｈ（ｎ，ｋ）について、ｋの周辺のパイロットサブキャリアで平均化してもよい。チャネル推定部８３は、このように算出された周波数軸上でｋ番目のパイロットについてのチャネル推定値ｈ（ｎ，ｋ）を複数のｋについて算出し、サブフレーム間の時間相関値を算出する。時間相関値Ｃｔは、以下の数式９に示されるように算出される。
【００９３】
【数９】
0005595952.tif 000010
変動推定部８４は、このように算出される時間相関値Ｃｔを、予め設定した閾値と比較することで、チャネル変動の大きさの判別を行う。例えば、変動推定部８４は、閾値Ｂ（ｘ）について、ｘ＝０乃至Ｎｍａｘのように複数通り設定する。ここで、Ｂ（０）＝０≦Ｂ（１）≦Ｂ（２）≦・・・≦Ｂ（Ｎｍａｘ）とする。変動推定部８４は、時間相関値Ｃｔと閾値とを比較し、例えば、Ｂ（Ｎｍａｘ）≦Ｃｔの場合は、Δｈ＝Ｎｍａｘとし、Ｃｔ＜Ｂ（Ｎｍａｘ）の場合、Ｂ（ｎ）≦Ｃｔ＜Ｂ（ｎ＋１）に対して、Δｈ＝ｎとするように同期信号選択部６０において用いる閾値の決定に係る要素Δｈを設定する。
【００９４】
同期信号選択部６０は、このようにして推定されたチャネル変動の大きさに応じて、ＳＳＳのシンボル位置を検出するための閾値を調整する。例えば、閾値Ａ１ＳＳＳ（ｍ）、Ａ２ＳＳＳ（ｍ）を夫々Ａ１ＳＳＳ（Δｈ、ｍ）、Ａ２ＳＳＳ（Δｈ、ｍ）として、チャネル変動の大きさΔｈ毎に係数を変える。
【００９５】
チャネル変動推定部８０は、時間方向のチャネル変動の大きさを推定する。前述の様に、チャネル変動の大きさを推定する方法は、従来用いられる様々な技術を流用することが可能であり本発明の要点ではないため、詳細な説明を省略する。
【００９６】
以上、説明したように、変形例に係るセルサーチ装置１’の同期信号選択部６０は、時間に対するチャネル変動が大きい場合のセルサーチ性能の劣化と、ＧＡＰ区間の先頭部分及び末尾部分での過渡状態によるセルサーチ性能の劣化とのトレードオフを考慮した上で、同期信号の選択動作を変更する。このため、状況に応じてより高精度なセルサーチを実現可能な同期信号の選択が可能となる。
【００９７】
本発明は、上述した実施例に限られるものではなく、請求の範囲及び明細書全体から読み取れる発明の要旨或いは思想に反しない範囲で適宜変更可能であり、そのような変更を伴うセルサーチ装置及び方法、並びに移動局もまた本発明の技術的範囲に含まれるものである。
【００９８】
以上、本明細書で説明した実施形態について、以下の付記を更に記載する。
（付記１）
所定の周波数で一のセルと通信し、特定の時間区間において前記所定の周波数とは異なる周波数に受信周波数を切り替えて前記一のセルとは異なる他のセルのセルサーチを行うセルサーチ装置であって、
前記特定の時間区間において、前記他のセルの特定に用いる特定信号の候補となる第１の同期信号を含む受信信号を受信する受信部と、
前記第１の同期信号の受信タイミングを検出する第１検出部と、
前記特定の時間区間内における前記第１の同期信号の受信タイミングに基づいて、前記受信信号に含まれる前記他のセルの特定に用いる特定信号の受信タイミングを決定する同期信号選択部と、
決定される前記受信タイミングに基づいて取得した前記他のセルの特定に用いる特定信号を用いて前記他のセルの特定を行う第２検出部と
を備えることを特徴とするセルサーチ装置。
（付記２）
前記受信部は、前記他のセルの特定に用いる特定信号の候補となる第２の同期信号を更に含む前記信号を受信し、
前記同期信号選択部は、検出された前記第１の同期信号の受信タイミング及び前記特定の時間区間の相対的な関係に基づいて、前記他のセルの特定に用いる特定信号の受信タイミングを、前記特定の時間区間において受信する受信信号のうち、(i)検出された前記第１の同期信号の受信タイミング及び検出された前記第１の同期信号の受信タイミングを修正することで得られる修正後タイミングのいずれか一方と、(ii)検出された前記第１の同期信号と対になって送信される前記第２の同期信号の受信タイミング及び検出された前記第１の同期信号と対になって送信される前記第２同期信号の受信タイミングを修正することで得られる修正後タイミングのいずれか一方との組み合わせとして決定することを特徴とする付記１に記載のセルサーチ装置。
（付記３）
前記同期信号選択部は、検出された前記第１の同期信号の受信タイミングが、前記特定の時間区間のうちの前記周波数の切り替えを開始してから完了するまでの間の過渡期間に含まれる場合、前記他のセルの特定に用いる特定信号の受信タイミングを、(i)検出された前記第１の同期信号の受信タイミングを修正することで得られる修正後タイミングと、(ii)検出された前記第１の同期信号と対になって送信される前記第２の同期信号の受信タイミング及び検出された前記第１の同期信号と対になって送信される前記第２同期信号の受信タイミングを修正することで得られる修正後タイミングのいずれか一方との組み合わせとなるように決定し、
前記同期信号選択部は、検出された前記第１の同期信号の受信タイミングが、前記過渡期間に含まれない場合、前記他のセルの特定に用いる特定信号の受信タイミングを、(i)検出された前記第１の同期信号の受信タイミングと、(ii)検出された前記第１の同期信号と対になって送信される前記第２の同期信号の受信タイミング及び検出された前記第１の同期信号と対になって送信される前記第２同期信号の受信タイミングを修正することで得られる修正後タイミングのいずれか一方との組み合わせとなるように決定することを特徴とする付記２に記載のセルサーチ装置。
（付記４）
前記同期信号選択部は、検出された前記第１の同期信号と対になって送信される前記第２の同期信号の受信タイミングが、前記特定の時間区間のうちの前記周波数の切り替えを開始してから完了するまでの間の過渡期間に含まれる場合、前記他のセルの特定に用いる特定信号の受信タイミングを、(i)検出された前記第１の同期信号の受信タイミング及び検出された前記第１の同期信号の受信タイミングを修正することで得られる修正後タイミングのいずれか一方と、(ii)検出された前記第１の同期信号と対になって送信される前記第２同期信号の受信タイミングを修正することで得られる修正後タイミングとの組み合わせとなるように決定し、
前記同期信号選択部は、検出された前記第１の同期信号と対になって送信される前記第２の同期信号の受信タイミングが、前記過渡期間に含まれない場合、前記他のセルの特定に用いる特定信号の受信タイミングを、(i)検出された前記第１の同期信号の受信タイミング及び検出された前記第１の同期信号の受信タイミングを修正することで得られる修正後タイミングのいずれか一方と、(ii)前記第１検出部により検出される前記第１の同期信号と対になって送信される前記第２の同期信号の受信タイミング及び前記第１検出部により検出される前記第１の同期信号と対になって送信される前記第２同期信号の受信タイミングを修正することで得られる修正後タイミングのいずれか一方との組み合わせとなるように決定することを特徴とする付記２又は３に記載のセルサーチ装置。
（付記５）
検出された前記第１の同期信号の受信タイミングを修正することで得られる修正後タイミングは、検出された前記第１の同期信号の受信タイミングを、当該第１の同期信号の送信周期に応じた期間だけ進ませる又は遅らせることで得られるタイミングであり、
検出された前記第１の同期信号と対になって送信される前記第２の同期信号の受信タイミングを修正することで得られる修正後タイミングは、検出された前記第１の同期信号と対になって送信される前記第２の同期信号の受信タイミングを、当該第２の同期信号の送信周期に応じた期間だけ進ませる又は遅らせることで得られるタイミングであることを特徴とする付記２から４のいずれか一項に記載のセルサーチ装置。
（付記６）
前記受信部は、前記他のセルの特定に用いる特定信号の候補となる第２の同期信号を更に含む前記信号を受信し、
前記同期信号選択部は、検出された前記第１の同期信号の受信タイミング及び前記特定の時間区間の相対的な関係に基づいて、前記他のセルの特定に用いる特定信号の受信タイミングを、前記特定の時間区間において受信する受信信号のうち、検出された前記第１の同期信号と対になって送信される前記第２の同期信号の受信タイミング及び検出された前記第１の同期信号と対になって送信される前記第２同期信号の受信タイミングを修正することで得られる修正後タイミングのいずれか一方として決定することを特徴とする付記１に記載のセルサーチ装置。
（付記７）
前記同期信号選択部は、検出された前記第１の同期信号と対になって送信される前記第２の同期信号の受信タイミングが、前記特定の時間区間のうちの前記周波数の切り替えを開始してから完了するまでの間の過渡期間に含まれる場合、前記他のセルの特定に用いる特定信号の受信タイミングを、検出された前記第１の同期信号と対になって送信される前記第２同期信号の受信タイミングを修正することで得られる修正後タイミングとなるように決定し、
前記同期信号選択部は、検出された前記第１の同期信号と対になって送信される前記第２の同期信号の受信タイミングが、前記過渡期間に含まれない場合、前記他のセルの特定に用いる特定信号の受信タイミングを、前記第１検出部により検出される前記第１の同期信号と対になって送信される前記第２同期信号の受信タイミングとなるように決定することを特徴とする付記６に記載のセルサーチ装置。
（付記８）
検出された前記第１の同期信号と対になって送信される前記第２の同期信号の受信タイミングを修正することで得られる修正後タイミングは、検出された前記第１の同期信号と対になって送信される前記第２の同期信号の受信タイミングを、当該第２の同期信号の送信周期に応じた期間だけ進ませる又は遅らせることで得られるタイミングであることを特徴とする付記６又は７に記載のセルサーチ装置。
（付記９）
前記同期信号選択部は、検出された前記第１の同期信号の受信タイミング及び前記特定の時間区間の相対的な関係に基づいて、前記他のセルの特定に用いる特定信号の受信タイミングを、前記特定の時間区間において受信する受信信号のうち、前記第１検出部により検出される前記第１の同期信号の受信タイミング及び前記第１検出部により検出される前記第１の同期信号の受信タイミングを修正することで得られる修正後タイミングのいずれか一方として決定することを特徴とする付記１又は２に記載のセルサーチ装置。
（付記１０）
前記同期信号選択部は、検出された前記第１の同期信号の受信タイミングが、前記特定の時間区間のうちの前記周波数の切り替えを開始してから完了するまでの間の過渡期間に含まれる場合、前記他のセルの特定に用いる特定信号の受信タイミングを、検出された前記第１の同期信号の受信タイミングを修正することで得られる修正後タイミングとなるように決定し、
前記同期信号選択部は、検出された前記第１の同期信号の受信タイミングが、前記過渡期間に含まれない場合、前記他のセルの特定に用いる特定信号の受信タイミングを、検出された前記第１の同期信号の受信タイミングとなるように決定することを特徴とする付記９に記載のセルサーチ装置。
（付記１１）
検出された前記第１の同期信号の受信タイミングを修正することで得られる修正後タイミングは、検出された前記第１の同期信号の受信タイミングを、当該第１の同期信号の送信周期に応じた期間だけ進ませる又は遅らせることで得られるタイミングであることを特徴とする付記９又は１０に記載のセルサーチ装置。
（付記１２）
前記同期信号選択部は、前記特定の時間区間を複数の区間に分割する複数の閾値を設定し、前記複数の閾値と、検出された前記第１の同期信号の受信タイミングとを比較することで、前記受信信号に含まれる前記他のセルの特定に用いる特定信号の受信タイミングを決定することを特徴とする付記１から１１のいずれか一項に記載のセルサーチ装置。
（付記１３）
前記同期信号選択部は、前記特定の時間区間のうちの前記周波数の切り替えを開始してから完了するまでの間の過渡期間と当該過渡期間以外の他の期間とを区別することができるように、前記特定の時間区間を前記複数の区間に分割する前記複数の閾値を設定することを特徴とする付記１２に記載のセルサーチ装置。
（付記１４）
前記受信部は、相異なる複数のフレームフォーマットで送信される前記受信信号を受信し、
前記同期信号選択部は、前記フレームフォーマットに応じて、前記複数の閾値を設定することを特徴とする付記１２又は１３に記載のセルサーチ装置。
（付記１５）
前記信号の時系列的なチャネル変動を推定するチャネル変動推定部を更に備え、
前記同期信号選択部は、推定される前記チャネル変動に応じて、前記複数の閾値を設定することを特徴とする付記１２から１４のいずれか一項に記載のセルサーチ装置。
（付記１６）
所定の周波数で一のセルと通信し、特定の時間区間において前記所定の周波数とは異なる周波数に受信周波数を切り替えて前記一のセルとは異なる他のセルのセルサーチを行うセルサーチ方法であって、
前記特定の時間区間において、前記他のセルの特定に用いる特定信号の候補となる第１の同期信号を含む受信信号を受信する受信工程と、
前記第１の同期信号の受信タイミングを検出する第１検出工程と、
前記特定の時間区間内における前記第１の同期信号の受信タイミングに基づいて、前記受信信号に含まれる前記他のセルの特定に用いる特定信号の受信タイミングを決定する同期信号選択工程と、
決定される前記受信タイミングに基づいて取得した前記他のセルの特定に用いる特定信号を用いて前記他のセルの特定を行う第２検出工程と
を備えることを特徴とするセルサーチ方法。
（付記１７）
所定の周波数で一のセルと通信し、特定の時間区間において前記所定の周波数とは異なる周波数に受信周波数を切り替えて前記一のセルとは異なる他のセルのセルサーチを行うセルサーチ装置を備える移動局であって、
前記セルサーチ装置は、
前記特定の時間区間において、前記他のセルの特定に用いる特定信号の候補となる第１の同期信号を含む受信信号を受信する受信部と、
前記第１の同期信号の受信タイミングを検出する第１検出部と、
前記特定の時間区間内における前記第１の同期信号の受信タイミングに基づいて、前記受信信号に含まれる前記他のセルの特定に用いる特定信号の受信タイミングを決定する同期信号選択部と、
決定される前記受信タイミングに基づいて取得した前記他のセルの特定に用いる特定信号を用いて前記他のセルの特定を行う第２検出部と
を備えることを特徴とする移動局。
【符号の説明】
【００９９】
１  セルサーチ装置
１０  ＲＦ、
２０  周波数設定部、
３０  ＧＡＰ制御部、
４０  受信信号バッファ、
５０  ＰＳＳ検出部、
６０  同期信号選択部、
７０  ＳＳＳ検出部、
８０  チャネル変動推定部、
１００  移動局
２００ａ、２００ｂ  基地局。
【図１】
0005595952.tif 000011
【図２】
0005595952.tif 000012
【図３】
0005595952.tif 000013
【図４】
0005595952.tif 000014
【図５】
0005595952.tif 000015
【図６】
0005595952.tif 000016
【図７】
0005595952.tif 000017
【図８】
0005595952.tif 000018
【図９】
0005595952.tif 000019
【図１０】
0005595952.tif 000020
【図１１】
0005595952.tif 000021
【図１２】
0005595952.tif 000022